【手続補正書】
【提出日】平成17年10月18日(2005.10.18)
【手続補正１】
【補正対象書類名】明細書
【補正対象項目名】特許請求の範囲
【補正方法】変更
【補正の内容】
【特許請求の範囲】
【請求項１】
遠隔印刷システムであって、
１つまたは複数のプリントファイルおよび１人または複数のジョブ受信者の標識を含むプリントジョブを、遠隔印刷サーバに送信するように構成されたジョブ送信コンポーネント（12）と、
１つまたは複数のジョブ送信コンポーネントからプリントジョブを受信し、前記プリントジョブを格納するように構成され、前記１人または複数のジョブ受信者（16）の１人または複数からプリントジョブの少なくとも一部の受け取りの通知を受信するように構成されている遠隔印刷サーバ（14）と、及び
ジョブ受信者に関連するジョブ受信コンポーネント（20）であって、前記関連するジョブ受信者によって受け取られるプリントジョブの前記少なくとも一部のいずれかを受信し、前記受け取った一部をプリンタ（18）に送信して印刷するように構成された、ジョブ受信コンポーネント（20）とを備えた、遠隔印刷システム。
【請求項２】
前記サーバが、前記標識に応答して、前記１人または複数のジョブ受信者にプリントジョブの受信を通知する、請求項１に記載の遠隔印刷システム。
【請求項３】
前記標識が、前記１人または複数のジョブ受信者のそれぞれに対応する電子メールアドレスを含み、前記サーバが、電子メールメッセージを前記アドレスに送信することによって前記１人または複数のジョブ受信者に通知するように構成されている、請求項２に記載の遠隔印刷システム。
【請求項４】
前記電子メールメッセージが、前記遠隔印刷サーバ上のウェブページを識別するユニフォーム資源ロケータ（ＵＲＬ）を含み、そのＵＲＬが、選択されることにより、前記ジョブ受信者を前記遠隔印刷サーバ上の前記ウェブページに接続させて、少なくとも１つのプリントジョブの詳細を表示する、請求項３に記載の遠隔印刷システム。
【請求項５】
前記ウェブページが、対話型ウェブページであり、前記遠隔印刷サーバが、ジョブ受信者の前記ウェブページとの対話に応答して、プリントジョブの少なくとも一部のジョブ受信者受け取りを受信する、請求項４に記載の遠隔印刷システム。
【請求項６】
前記ジョブ送信コンポーネントが、各プリントファイルに対するそれぞれのプレビューイメージを生成して、前記プレビューイメージをプリントジョブに含ませるように構成され、前記遠隔印刷サーバが、前記プレビューイメージを前記対話型ウェブぺージに含ませるように構成されている、請求項５に記載の遠隔印刷システム。
【請求項７】
前記電子メールメッセージが、第１のＵＲＬと第２のＵＲＬとを含み、前記第１のＵＲＬが選択されることにより、前記遠隔印刷サーバに送信されるべきプリントジョブの前記受信者の受け取りが通知され、前記第２のＵＲＬが選択されることにより、前記遠隔印刷サーバに送信されるべきプリントジョブの前記受信者の拒否が通知される、請求項３に記載の遠隔印刷システム。
【請求項８】
前記ジョブ送信コンポーネントが、各プリントファイルに対してそれぞれのプレビューイメージを生成して、前記プレビューイメージをプリントジョブに含ませるように構成され、前記遠隔印刷サーバが、前記プレビューイメージを前記電子メールメッセージに含ませるように構成されている、請求項７に記載の遠隔印刷システム。
【請求項９】
前記遠隔印刷サーバは、前記プリントジョブが前記遠隔印刷サーバで受信される前に、ジョブ受信者による少なくとも１つのプリントジョブの受け取りの通知を受信するように構成されている、請求項１に記載の遠隔印刷システム。
【請求項１０】
前記ジョブ受信コンポーネントが、前記遠隔印刷サーバに接続されて、関連のジョブ受信者によって受け取られる任意のプリントジョブをダウンロードするように構成されている、請求項１に記載の遠隔印刷システム。
【請求項１１】
前記ジョブ受信コンポーネントが、非対話型プロセスとして実行され、前記遠隔印刷サーバに定期的に接続されて、前記受け取られるプリントジョブをダウンロードするように構成されている、請求項８に記載の遠隔印刷システム。
【請求項１２】
前記ジョブ受信コンポーネントが、対話型アプリケーションとして実行されるように構成され、前記アプリケーションが、ユーザの対話に応答して、前記遠隔プリントサーバに接続して、前記受け取られるプリントジョブをダウンロードする、請求項８に記載の遠隔印刷システム。
【請求項１３】
前記遠隔印刷サーバが、ダウンロードされるプリントジョブに応答して、ジョブ送信者に通知する、請求項８に記載の遠隔印刷システム。
【請求項１４】
前記遠隔印刷サーバが、受け取られたプリントジョブに応答して、ジョブ送信者に通知する、請求項１に記載の遠隔印刷システム。
【請求項１５】
前記ジョブ送信コンポーネントが、前記プリントファイルをプリンタマークアップ言語型フォーマットで生成するように構成され、前記プリントファイルを前記プリンタに送信して印刷する前に、前記ジョブ受信コンポーネントが、前記プリントファイルをラスターフォーマットにするように構成されている、請求項１に記載の遠隔印刷システム。
【請求項１６】
前記ジョブ送信コンポーネントが、ユーザの対話に応答して、プリントファイルのラスターフォーマット版を生成し、前記プリントファイルを関連のプリンタに送信して印刷する、請求項１に記載の遠隔印刷システム。
【請求項１７】
遠隔印刷システムを動作させる方法であって、
１つまたは複数のプリントファイルおよび１人または複数のジョブ受信者の標識を含むプリントジョブを、ジョブ送信コンポーネントから遠隔印刷サーバに送信するステップと、
１つまたは複数のジョブ送信コンポーネントからプリントジョブを前記遠隔印刷サーバで受け取るステップと、
前記プリントジョブを格納するステップと、
前記１人または複数のジョブ受信者の１人または複数からプリントジョブの少なくとも一部の受け取りの通知を前記サーバで受信するステップと、
ジョブ受信者に関連するジョブ受信コンポーネントにおいて、前記関連するジョブ受信者によって受け取られるプリントジョブの前記少なくとも一部を受信するステップと、及び
前記受け取られた一部をプリンタに送信して印刷するステップとからなる、方法。
【請求項１８】
前記ジョブ送信コンポーネントから送信し、ジョブ受信コンポーネントで受信するステップが、異なるプリントジョブに対して同じパーティによって行われる、請求項１７に記載の方法。
【請求項１９】
遠隔印刷サーバであって、
１つまたは複数のプリントファイルおよび１人または複数のジョブ受信者の標識を含むプリントジョブを、１つまたは複数のジョブ送信コンポーネントから受信するための第１の受信手段と、
前記プリントジョブを格納させるための手段と、
前記１人または複数のジョブ受信者の１人または複数からプリントジョブの少なくとも一部の受け取りの通知を受信するための第２の受信手段と、及び
前記関連のジョブ受信者によって受け取られる前記プリントジョブの少なくとも一部をジョブ受信者に関連するジョブ受信コンポーネントに送信するための送信手段とを備えた、遠隔印刷サーバ。
【請求項２０】
遠隔印刷システムのジョブ受信コンポーネントであって、前記ジョブ受信コンポーネントが、プリントジョブ内で識別されるジョブ受信者に関連し、前記ジョブ受信コンポーネントが、遠隔印刷サーバに接続されて、前記関連のジョブ受信者によって受け取られるプリントジョブの少なくとも一部を受信し、前記受け取られた一部をプリンタに送信して印刷するように構成されている、遠隔印刷システムのジョブ受信コンポーネント。
【請求項２１】
コンピュータ上で実行される場合に、遠隔印刷サーバを動作させるための、コンピュータ読出し可能な記憶媒体に格納されたコンピュータプログラムコードからなるコンピュータプログラムプロダクトであって、
１つまたは複数のプリントファイルおよび１人または複数のジョブ受信者の標識を含むプリントジョブを１つまたは複数のジョブ送信コンポーネントから受信するためのコンピュータプログラム手段と、
前記プリントジョブを格納させるためのコンピュータプログラム手段と、
前記１人または複数のジョブ受信者の１人または複数から、プリントジョブの少なくとも一部の受け取りの通知を受信するためのコンピュータプログラム手段と、及び
前記関連のジョブ受信者によって受け取られるプリントジョブの前記少なくとも一部を、ジョブ受信者に関連するジョブ受信コンポーネントに送信するためのコンピュータプログラム手段とを備える、コンピュータプログラムプロダクト。
【請求項２２】
コンピュータ上で実行される場合に、遠隔印刷システム内でプリントジョブを受信するための、コンピュータ読出し可能な記憶媒体に格納されたコンピュータプログラムコードからなるコンピュータプログラムプロダクトであって、
前記プロダクトのインスタンスとプリントジョブ内で識別されたジョブ受信者とを関連付けるためのコンピュータプログラム手段と、
遠隔印刷サーバに接続して、前記関連のジョブ受信者によって受け取られるプリントジョブの少なくとも一部を受信するためのコンピュータプログラム手段と、及び
前記受け取られた一部をプリンタに送信して印刷するためのコンピュータプログラム手段とを備える、コンピュータプログラムプロダクト。
【請求項２３】
遠隔印刷システムを動作させる方法であって、
コンテンツ生成パーティから遠隔印刷サーバに、前記コンテンツから生成された１つまたは複数のプリントファイルを含むプリントジョブを送信するステップと、
１つまたは複数のコンテンツ生成パーティからプリントジョブを遠隔印刷サーバで受信するステップと、
前記プリントジョブを格納するステップと、
前記コンテンツに対して作用するべき１つまたは複数の遠隔パーティからプリントジョブの少なくとも一部の受け取りの通知を前記サーバで受信するステップと、
遠隔パーティに関連するジョブ受信コンポーネントで、前記関連の遠隔パーティによって受け取られるプリントジョブの前記少なくとも一部を、受信するステップと、及び
前記受け取られた一部をプリンタに送信して印刷するステップとからなる、方法。
【手続補正２】
【補正対象書類名】明細書
【補正対象項目名】００４１
【補正方法】変更
【補正の内容】
【００４１】
好適な実施形態では、電子メール通知は、遠隔印刷サーバ１４上のJava(R)サーバページ（ＪＳＰ）を識別するＵＲＬ（ユニフォーム資源ロケータ）を含む。ＪＳＰは、ウェブページ上でダイナミックコンテンツを表示するための簡単なプログラミング媒体を提供するSun MicrosystemsのJava(R)サーブレット技術に対する拡張である。ＪＳＰは、ウェブサーバまたはアプリケーションサーバにおいて実行される埋め込み型Java(R)ソースコードを有するＨＴＭＬ（ハイパーテキスト作成言語）ページを含む。ＨＴＭＬは、ウェブブラウザに戻されるページレイアウトを提供し、Java(R)は、たとえば、問い合わせをデータベースに伝え、その結果を空欄のフィールドに書き込む処理を行う。ＪＳＰは、まずサーバによって遭遇されるバイトコード（サーブレット）にコンパイルされる。やはり、ＪＳＰは、マイクロソフトのＡＳＰ（アクティブサーバページ）と同等物であるSun／Java(R)に対応するものであり、したがって、本発明は、この技術および他の適切な代替の技術を用いて実施され得る。
【手続補正３】
【補正対象書類名】明細書
【補正対象項目名】００６６
【補正方法】変更
【補正の内容】
【００６６】
それにもかかわらず、印刷状態に入った後、プリントジョブの詳細が首尾よく受信者サブシステムにダウンロードされるか（ステップ７６）、または受信者サブシステムがサーバからのダウンロードにおけるエラーを示す（ステップ７８）いずれかの場合、Ｔ２からのタイミングは停止される（ステップ８０、８２）。前者の場合、サーバは、プリントジョブが受信されたというメッセージをジョブ送信者に送信する（ステップ８４、図２ではステップ４としても示される）。次に、サーバは、プリントジョブが印刷されているというメッセージをジョブ受信者に送信することによって続行する（ステップ８６、図２ではステップ３としても示される）。最後に、サーバは、ジョブの状態を印刷されたように更新する（ステップ８８）。